(57)【要約】  【課題】  屈曲防止リングを使用したリブ付き管の接続方法において、直線性が得やすく、両管の接続部の密着性が得やすい方法などを提供する。  【解決手段】  屈曲防止リング１０は、隣接する２ヶ所のリブ３の外周に嵌合する２連の嵌合片１１と、この２連の嵌合片１１の間をつなぐブリッジ部１２と、を有する。リブ付き管１、１Ａを接続する際は、一方のリブ付き管１の差口６の隣接するリブ３−２、３−３の間にゴム輪パッキン８を装着し、さらに、ゴム輪パッキン８の奥側の隣接するリブ３−４と３−５の外周に屈曲防止リング１０を装着する。屈曲防止リング１０をリブ３の外周に装着することにより、屈曲防止リング１０の潰れ代が大きくなって、同リング１０と受口５の内面との密着性が高まる。さらに、受口５と差口６とを、ゴム輪パッキン８と、屈曲防止リング１０の２連の嵌合片１１との合計３か所の支持点で支持できるので、両管の直線性がより良好となる。【選択図】  図１
2010230145.tif 000002
【特許請求の範囲】
【請求項１】
外周面に複数の周方向リブが形成されているとともに両端に受口及び差口を有する二本のリブ付き管を接続する際に、
一方のリブ付き管の差口の外周にゴム輪パッキンを装着し、その後に該管の差口を他方のリブ付き管の受口に挿入するリブ付き管の接続方法であって、
前記差口の前記ゴム輪パッキンを装着した部分以外の部分における前記リブの外周に屈曲防止リングを装着して、該差口とその挿入された前記受口の間を複数の箇所で支持し、これにより接続する二本のリブ付き管の管芯の直線性を確保することを特徴とするリブ付き管の接続方法。
【請求項２】
前記屈曲防止リングが、
隣り合う２ヶ所のリブ外周に嵌合する２連の嵌合片と、
該２連の嵌合片の間をつなぐブリッジ部と、
を有することを特徴とする請求項１に記載のリブ付き管の接続方法。
【請求項３】
前記屈曲防止リングの材質が前記ゴム輪パッキンと同等又はそれ以上の柔軟性を有し、
前記差口に装着された状態での該リングの外径が前記受口の内径よりやや大であることを特徴とする請求項１又は２に記載のリブ付き管の接続方法。
【請求項４】
外周面に複数の周方向リブが形成されているとともに両端に受口及び差口を有する二本のリブ付き管を接続する際に、
一方のリブ付き管の差口の外周にゴム輪パッキンを装着し、その後に該管の差口を他方のリブ付き管の受口に挿入するリブ付き管の接続方法であって、
前記差口の前記ゴム輪パッキンを装着した部分以外の部分に屈曲防止リングを装着して、該差口とその挿入された前記受口の間を複数の箇所で支持し、これにより接続する二本のリブ付き管の管芯の直線性を確保するものであり、
前記屈曲防止リングが、
隣り合う２か所のリブの間に装着され、前記ゴム輪パッキンと同等又はそれ以上の柔軟性を有する材料で作製される弾性リングであって、
該弾性リングの内周面には、外方向に向かう断面形状がＶ字状の切り込み部が形成されており、
装着前の状態において、該弾性リングの前記切り込み部が形成された部分の厚さ（リブ付き管の長さ方向における長さ）が、前記隣り合う２か所のリブの間隔よりも大きいことを特徴とするリブ付き管の接続方法。
【請求項５】
外周面に複数の周方向リブが形成されているとともに両端に受口及び差口を有する二本のリブ付き管を接続する際に使用される屈曲防止リングであって、
隣り合う２ヶ所のリブ外周に嵌合する２連の嵌合片と、
該２連の嵌合片の間をつなぐブリッジ部と、
を有することを特徴とする屈曲防止リング。
【請求項６】
外周面に複数の周方向リブが形成されているとともに両端に受口及び差口を有する二本のリブ付き管を接続する際に使用される屈曲防止リングであって、
該リングは、
隣り合う２か所のリブの間に装着され、前記ゴム輪パッキンと同等又はそれ以上の柔軟性を有する材料で作製されており、
該弾性リングの内周面には、外方向に向かう断面形状がＶ字状の切り込み部が形成されており、
装着前の状態において、該弾性リングの前記切り込み部が形成された部分の厚さ（リブ付き管の長さ方向における長さ）が、前記隣り合う２か所のリブの間隔よりも大きいことを特徴とする屈曲防止リング。
【請求項７】
外周面に複数の周方向リブが形成されているとともに両端に受口及び差口を有する複数のリブ付き管が接続された管路であって、
一方のリブ付き管の差口の外周に、ゴム輪パッキン、及び、請求項５又は請求項６に記載の屈曲防止リングが、該差口の端面から順に装着されており、
該管の差口が他方のリブ付き管の受口に挿入されて接続されており、
それによって、該差口とその挿入された前記受口の間を複数の箇所で支持して前記複数のリブ付き管の管芯の直線性が確保されていることを特徴とする管路。
【発明の詳細な説明】
【技術分野】
【０００１】
本発明は、下水処理設備やケーブルの保護管などの管路を構成するリブ付き管を接続する方法に関する。特には、チーズ管継手の前後の管路のように、比較的短い長さの間に接続箇所が２個ある管路の場合でも、リブ付き管同士を直線状に簡単に接続できる方法などに関する。
【背景技術】
【０００２】
リブ付き管は、受口に差口を差し込みやすくするため、受口内径と差口のリブ外径との間に小寸法ながらスキマがある。そこで、受口の隣接するリブの間にゴム輪パッキンを装着して、そのスキマを密閉している。しかし、この場合、装着されたゴム輪パッキン以外の部分に存在するスキマにより、差口が受口に対してゴム輪パッキンを支点として傾斜しうるため、管路に屈曲が生じるおそれがある。すると、２本のリブ付き管の間に好ましくない勾配が生じ、下水などの自然流下にたよる管路においては、その勾配の部分で下水の滞留が生じて問題となることが懸念される。両者をまっすぐに接続するには、接続される２本の管の姿勢を細かく調整しながら作業を行う必要があった。
【０００３】
そこで、２本のリブ付き管を接続する方法として、屈曲防止リングをゴム輪パッキンと併用する方法が提案されている（例えば、特許文献１参照）。この方法においては、一方のリブ付き管の差口のリブ間にゴム輪パッキンを装着するとともに、同ゴム輪パッキンよりも奥側のリブ間に屈曲防止リングを装着し、この差口を他方のリブ付き管の受口に差し込む。屈曲防止リングは、ゴム輪パッキンよりも固い材料で作製され、受口の内面と差口の外面との間で圧縮されている。ゴム輪パッキンと屈曲防止リングとを用いることにより、差口は、ゴム輪パッキンと屈曲防止リングの、長さ方向に離れた２か所で受口に対して支持されるので、管の姿勢調整にあまり手間をかけることなく、両管を直線状に接続することができる。
【発明の概要】
【発明が解決しようとする課題】
【０００４】
本発明は、このような屈曲防止リングを使用したリブ付き管の接続方法において、さらに直線性が得やすく、両管の接続部の密着性が得やすい方法などを提供することを目的とする。
【課題を解決するための手段】
【０００５】
本発明のリブ付き管の接続方法は、  外周面に複数の周方向リブが形成されているとともに両端に受口及び差口を有する二本のリブ付き管を接続する際に、  一方のリブ付き管の差口の外周にゴム輪パッキンを装着し、その後に該管の差口を他方のリブ付き管の受口に挿入するリブ付き管の接続方法であって、  前記差口の前記ゴム輪パッキンを装着した部分以外の部分における前記リブの外周に屈曲防止リングを装着して、該差口とその挿入された前記受口の間を複数の箇所で支持し、これにより接続する二本のリブ付き管の管芯の直線性を確保することを特徴とする。
【０００６】
二本のリブ付き管の差口と受口とを接続する際、ゴム輪パッキンのみの１ヶ所で支持する場合、差口が受口に対してゴム輪パッキンを支点として傾斜し、二本の管の間に屈曲が生じるおそれがある。本発明によれば、差口と受口とを、管の長さ方向において複数の箇所で支持するので、両管の屈曲を防ぐことができ、両口をまっすぐに接続できる。特に、差口のゴム輪パッキンを装着した部分以外の部分のリブの外周に屈曲防止リングを装着するので、屈曲防止リングの潰れ代が大きくなって、同リングと受口の内面との密着性が高まる。また、小体積で安価な屈曲防止リングで十分な効果を期待できる。
【０００７】
本発明においては、  前記屈曲防止リングが、  隣り合う２ヶ所のリブ外周に嵌合する２連の嵌合片と、  該２連の嵌合片の間をつなぐブリッジ部と、を有することが好ましい。
【０００８】
本発明によれば、受口と差口とを、管の長さ方向において、ゴム輪パッキンと、屈曲防止リングの２連の嵌合片との合計３か所の支持点で支持できるので、両管の直線性がより良好となる。
【０００９】
本発明においては、  前記屈曲防止リングの材質が前記ゴム輪パッキンと同等又はそれ以上の柔軟性を有し、  前記差口に装着された状態での該リングの外径が前記受口の内径よりやや大であることが好ましい。
【００１０】
本発明によれば、屈曲防止リングの潰れ代をゴム輪パッキンと同等以上に持たせているので、同リングと受口の内面との密着性が高まり、両管をしっかりと支持できる。
【００１１】
本発明の他のリブ付き管の接続方法は、  外周面に複数の周方向リブが形成されているとともに両端に受口及び差口を有する二本のリブ付き管を接続する際に、  一方のリブ付き管の差口の外周にゴム輪パッキンを装着し、その後に該管の差口を他方のリブ付き管の受口に挿入するリブ付き管の接続方法であって、  前記差口の前記ゴム輪パッキンを装着した部分以外の部分に屈曲防止リングを装着して、該差口とその挿入された前記受口の間を複数の箇所で支持し、これにより接続する二本のリブ付き管の管芯の直線性を確保するものであり、  前記屈曲防止リングが、  隣り合う２か所のリブの間に装着され、前記ゴム輪パッキンと同等又はそれ以上の柔軟性を有する材料で作製される弾性リングであって、  該弾性リングの内周面には、外方向に向かう断面形状がＶ字状の切り込み部が形成されており、  装着前の状態において、該弾性リングの前記切り込み部が形成された部分の厚さ（リブ付き管の長さ方向における長さ）が、前記隣り合う２か所のリブの間隔よりも大きいことを特徴とする。
【００１２】
本発明によれば、リングの内周面に外方向に向かうＶ字型の切り込みが設けられているとともに、この切り込みが設けられた部分の厚さが隣り合うリブの間隔より厚いので、隣り合うリブ間に装着すると、切り込み部が開いて、切り込み部の両側の部分がリブの方向に弾性変形しようとする力が生じる。この反力により、リングをリブ間に脱落しないように支持することができる。また、屈曲防止リングが柔軟性を有するので、同ゴム片が差口の隣接するリブと、受口の内周面とで囲まれた空間内いっぱいに広がるように変形し、屈曲防止リングを介した受口と差口との支持部が、隣接するリブ間の長さを有する面となる。このため、受口と差口の支持箇所は２か所であるが、支持箇所の長さを十分に確保できるため、管路の屈曲を防止して両リブ付き管をまっすぐに接続できる。
【００１３】
本発明の第１の屈曲防止リングは、  外周面に複数の周方向リブが形成されているとともに両端に受口及び差口を有する二本のリブ付き管を接続する際に使用される屈曲防止リングであって、  隣り合う２ヶ所のリブ外周に嵌合する２連の嵌合片と、  該２連の嵌合片の間をつなぐブリッジ部と、を有することを特徴とする。
【００１４】
本発明の第２の屈曲防止リングは、  外周面に複数の周方向リブが形成されているとともに両端に受口及び差口を有する二本のリブ付き管を接続する際に使用される屈曲防止リングであって、  該リングは、  隣り合う２か所のリブの間に装着され、前記ゴム輪パッキンと同等又はそれ以上の柔軟性を有する材料で作製されており、  該弾性リングの内周面には、外方向に向かう断面形状がＶ字状の切り込み部が形成されており、  装着前の状態において、該弾性リングの前記切り込み部が形成された部分の厚さ（リブ付き管の長さ方向における長さ）が、前記隣り合う２か所のリブの間隔よりも大きいことを特徴とする。
【００１５】
本発明の管路は、  外周面に複数の周方向リブが形成されているとともに両端に受口及び差口を有する複数のリブ付き管が接続された管路であって、  一方のリブ付き管の差口の外周に、ゴム輪パッキン、及び、前記のいずれかに記載の屈曲防止リングが、該差口の端面から順に装着されており、  該管の差口が他方のリブ付き管の受口に挿入されて接続されており、  それによって、該差口とその挿入された前記受口の間を複数の箇所で支持して前記複数のリブ付き管の管芯の直線性が確保されていることを特徴とする。
【発明の効果】
【００１６】
以上の説明から明らかなように、本発明によれば、屈曲防止リングとゴム輪とを併用することにより、差口と受口とを、管の長さ方向において複数の箇所で支持するので、差口の屈曲を防ぐことができ、両口をまっすぐに接続できる。特に、屈曲防止リングを、差口のリブの外周に装着するので、屈曲防止リングの潰れ代が大きくなって、同リングと受口の内面との密着性が高まる。さらに、屈曲防止リングが、リブに嵌合する２連の嵌合片を有する形状とすれば、受口と差口とを、ゴム輪と、屈曲防止リングの２連の嵌合片との合計３か所の支持点で支持できるので、両管の直線性がより良好となる。
【図面の簡単な説明】
【００１７】
【図１】本発明の第１の実施の形態に係るリブ付き管の接続方法を説明するための図であって、図１（Ａ）は屈曲防止リング及びゴム輪パッキンが装着された差口の一部側断面図、図１（Ｂ）は図１（Ａ）のＢ部拡大図である。
【図２】図１のＡ−Ａ矢視図である。
【図３】図１のリブ付き管の接続部を示す図であり、図３（Ａ）は一部側断面、図３（Ｂ）は図３（Ａ）のＣ部拡大図である。
【図４】本発明の第２の実施の形態に係るリブ付き管の接続方法を説明するための図であって、図２（Ａ）は屈曲防止リング及びゴム輪パッキンが装着された差口の一部側断面図、図２（Ｂ）は図４（Ａ）のＤ部拡大図である。
【図５】図４の屈曲防止リングの構造を示す図であり、図５（Ａ）は側断面図、図５（Ｂ）は図４（Ａ）のＦ−Ｆ矢視図である。
【図６】図４のリブ付き管の接続部を示す図であり、図６（Ａ）は一部側断面、図６（Ｂ）は図６（Ａ）のＥ部拡大図である。
【発明を実施するための形態】
【００１８】
以下、本発明の実施の形態について、図面を参照しながら詳細に説明する。
図１〜図３を参照して、本発明の第１の実施の形態に係るリブ付き管の接続方法を説明する。
リブ付き管１は、図１（Ａ）に示すように、円筒状の本体２を有し、本体２の外周面には周方向リブ３が形成されている。リブ３は同じ高さであり、長さ方向に所定の間隔を開けて多数形成されている。本体１の一方の端部は受口５であり、もう一方の端部は差口６である。受口５は差口６よりも拡径しており、その外径及び内径は、差口６よりも大きい。特に、受口５の内径は、差口６のリブ３の部分の外径とほぼ等しい（小寸法大きい）。
【００１９】
２本のリブ管１を接続する際は、一方のリブ付き管１の差口６をもう一方のリブ付き管１の受口５に差し込む。この際、まず、差口６の先端の隣接するリブ３間にゴム輪パッキンを装着する。この例では、図１（Ｂ）に示すように、差口６の先端から２つ目のリブ３−２と３つ目のリブ３−３との間にゴム輪パッキン８を装着する。そして、このゴム輪パッキン８から奥側の部分の隣接するリブ３を架け渡して、管の周方向に延びるように屈曲防止リング１０を装着する。この例では、屈曲防止リング１０は、差口６の先端から４つ目のリブ３−４と５つ目のリブ３−５に架け渡されている。
【００２０】
屈曲防止リング１０は、図２に示すように、周方向の一部が欠損したＣリングであり、ゴム輪パッキン８より柔らかい材料（例えば、ゴム、エラストマー、ポリウレタン）で作製される。屈曲防止リング１０は、図１（Ｂ）に示すように、隣り合う２つのリブ３の外周に嵌合する２連の嵌合片１１と、両嵌合片１１の間をつなぐブリッジ部１２と、を有する。両嵌合片１１とブリッジ部１２とは一体に成形されている。嵌合片１１は、断面形状が内向きのコの字型であり、リブ３のほぼ上半分に嵌合される。ブリッジ部１２は、断面形状が外側に凸のくの字型である。
【００２１】
屈曲防止リング１０やリブ付き管１の各部の寸法例は以下のとおりである。
リブ付き管１の受口５の内径：１７１．７ｍｍ、
リブ付き管１の差口６のリブ３の外径：１７１．０ｍｍ、
屈曲防止リング１０の嵌合片１１の肉厚：０．６ｍｍ。
【００２２】
上記のような寸法関係の屈曲防止リング１０を差口６に装着した状態では、屈曲防止リング１０の外径は、差口６のリブ３の外径よりも大きくなる。すなわち、装着された屈曲防止リング１０の外径は、差口６のリブ３の外径１７１．０ｍｍに、屈曲防止リング１０の嵌合片１１の肉厚０．６ｍｍの２倍を足したもので、１７２．２ｍｍとなる。この寸法は、リブ付き管１の受口５の内径１７１．７ｍｍよりも０．５ｍｍ大きい。
【００２３】
次に、図３に示すように、もう一方のリブ付き管１Ａの受口５に、ゴム輪パッキン８及び屈曲防止リング１０が装着されたリブ付き管１の差口６を差し込む。このような差口６を、もう一方のリブ付き管１Ａの受口５に差し込むと、差口６のリブ３の外周面と受口５の内面との間で屈曲防止リング１０の嵌合片１１が圧縮され、両面が密に接触する。これにより、管路の屈曲の原因となるスキマがなくなる。
【００２４】
また、図３（Ｂ）に示すように、受口５と差口６とは、ゴム輪パッキン８と、屈曲防止リング１０の２個の嵌合片１１との合計３か所で支持される。そして、両端の支持点間の長さ（ゴム輪パッキン８と奥側の嵌合片１１間の長さ）を比較的長くとれる。前述の背景技術で説明した例は、ゴム輪パッキンと屈曲防止リングとの合計２か所で受口と差口を接続するものであったが、本発明では合計３か所で支持しており、両端の支持点間の長さをより長くできるので、管路の屈曲を確実に防止して両リブ付き管をまっすぐに接続できる。
【００２５】
特に、前述のように、屈曲防止リング１０はゴム輪パッキン８よりも柔らかい材料で作製されている。このため、同リング１０の潰し代がゴム輪パッキン８の潰し代よりも大きくなり、同リング１０と受口５との密着性がより高くなって、差口６を受口５によりしっかりと支持できる。
なお、屈曲防止リング１０は、差口６に装着されたゴム輪パッキン８が受口５に挿入された時の反力と同等以上の反力を得られるので、受口５内での差口６の屈曲を防止できる。
【００２６】
また、屈曲防止リング１０がＣリングであるため、リブ付き管に装着しやすい。ただし、長さ方向に移動不能の形状であれば、形状はＣリングに限らない。なお、円周方向にはやや移動してもよい。また、同リング１０のブリッジ部１２が、外に凸のくの字型としたが、同部の形状もこれに限らない。
【００２７】
次に、図４〜図６を参照して、本発明の第２の実施の形態に係るリブ付き管の接続方法を説明する。
この例は、図１の例と比べて、屈曲防止リングの構造が異なる。以下、屈曲防止リング２０について説明する。
【００２８】
この例の屈曲防止リング２０は、図５（Ｂ）に示すように、周方向の一部が欠損したＣリングであり、ゴム輪パッキン８と同等又はそれ以上の柔らかい材料（例えば、ゴム、エラストマー、ポリウレタン）で作製される。図５（Ａ）に示すように、同リング２０の内周面には、外方向に向かって先細のＶ字状の切り込み部２５が形成されている。切り込み部２５は、リング２０の幅（径方向長さ）の半分以上に達している。そして、リング２０の切り込み部２５の両側の部分で、リング２０の厚さ（リブ付き管の長さ方向の長さ）が最大となっている。この暑さＤ１は、リブ付き管の隣り合うリブ３間の間隔Ｄ２よりも大きい。
【００２９】
リブ付き管接続の際には、前述の例と同様に、図４に示すように、差口６の先端面から２つ目のリブ３−２と３つ目のリブ３−３との間にゴム輪パッキン８を装着する。そして、そのゴム輪パッキン８の奥側の部分の、隣接するリブ３の間を、管の周方向に延びるように屈曲防止リング２０を装着する。この例では、屈曲防止リング２０は、差口６の先端面から４つ目のリブ３−４と５つ目のリブ３０−５の間に装着される。前述のようにリング２０の厚さは、リブ３間の間隔よりも大きいので、装着する際は、Ｖ字状の切り込み部２５の両側の面が接触するように、リング２０を両側（図の左右側）から圧縮した状態で装着する。すると、装着された後、切り込み部２５が開いて、切り込み部２５の両側の部分がそれぞれリブ３の方向に弾性変形しようとする。この反力により、リング２０をリブ３の間に脱落しないように支持できる。装着した状態では、図５（Ａ）、図５（Ｂ）に示すように、屈曲防止リング２０の外径は、リブ３の外径よりも大きくなっている。
【００３０】
そして、図６に示すように、もう一方のリブ付き管１Ａの受口５に、ゴム輪パッキン８及び屈曲防止リング２０が装着されたリブ付き管１の差口６を差し込む。すると、屈曲防止リング２０が、差口６のリブ３の外周面と受口５の内面との間で圧縮され、両面が密に接触する。この際、図６（Ｂ）に示すように、リング２０は、差口６の隣接するリブ３と、受口６の内周面とで囲まれた空間内いっぱいに広がるように変形している。
【００３１】
この例では、受口５と差口６とは、ゴム輪パッキン８と、屈曲防止リング２０の合計２か所で支持されるが、屈曲防止リング２０を介した支持部が、点ではなく隣接するリブ３間の長さを有する面となる。このため、図１の例と比べると、支持箇所は２か所であるが、支持箇所の長さを十分に確保できるため、管路の屈曲を防止して両リブ付き管をまっすぐに接続できる。
【符号の説明】
【００３２】
１  リブ付き管                      ２  本体
３  リブ                            ５  受口
６  差口                            ８  ゴム輪パッキン
１０  屈曲防止リング                １１  嵌合片
１２  ブリッジ部
２０  屈曲防止リング                ２１  芯線
２２  ゴム片
【先行技術文献】
【特許文献】
【００３３】
【特許文献１】特開２００１−２０８２５５
【図１】
2010230145.tif 000003
【図２】
2010230145.tif 000004
【図３】
2010230145.tif 000005
【図４】
2010230145.tif 000006
【図５】
2010230145.tif 000007
【図６】
2010230145.tif 000008